(57)【要約】【課題】  他人に傍受されにくい状態で安全性の高いデータ通信を可能にする非接触型ＩＣカード等の情報処理装置を提供する。【解決手段】  非接触型ＩＣカード１は、ＩＣカードリーダ・ライタからの電力供給を受けて起動しデータ通信を行う非接触ＩＣ８と、電子バリュー等を記憶する不揮発性メモリ３と、使用者の人体を通して使用者の所持する携帯端末とのデータ通信を可能にする人体通信部２と、これらの通信制御を行うＣＰＵ４とを備える。人体通信部２を介して、不揮発性メモリ３に保持されている電子バリューの残高や使用金額を携帯端末に送信し、この情報を携帯端末の表示部に表示可能である。また、人体通信部２を介して携帯端末に記憶されている使用者ＩＤを取得し、不揮発性メモリ３に記憶されている正当な使用者ＩＤと照合し、ＩＤが一致した場合のみ非接触ＩＣ８の機能を使用可能にする。【選択図】  図１
2006195559.tif 000002
【特許請求の範囲】
【請求項１】
近距離無線通信により読取記録装置との間でデータ通信を行う第１の通信手段と、
人体と接触可能な接触部を有し、人体通信により携帯端末との間でデータ通信を行う第２の通信手段と、
前記読取記録装置とのデータ通信によって読み取りまたは書き込みが行われる電子バリューを含む情報を記憶する記憶手段と、
前記第１の通信手段及び前記第２の通信手段の通信制御を行い、前記第１の通信手段を介して前記読取記録装置と通信される情報、または前記記憶手段に記憶された情報に関連するデータを、前記第２の通信手段を介して前記携帯端末と通信する通信制御手段と
を備える情報処理装置。
【請求項２】
請求項１に記載の情報処理装置であって、
前記通信制御手段は、
前記第１の通信手段を介して前記読取記録装置との間でデータ通信がなされた場合に、通信された情報に関連するデータを前記第２の通信手段を介して前記携帯端末へ送信する機能を有する情報処理装置。
【請求項３】
請求項１に記載の情報処理装置であって、
前記通信制御手段は、
前記第２の通信手段を介して前記携帯端末に対して使用者の識別情報を要求する機能と、
前記携帯端末から送られる前記使用者の識別情報を受信し、この識別情報が予め設定された識別情報に一致するか否かを比較する機能と、
前記比較の結果、前記受信した識別情報が予め設定された識別情報に一致する場合、前記第１の通信手段及び前記第２の通信手段を介したデータ通信を可能にする機能とを有する情報処理装置。
【請求項４】
請求項１に記載の情報処理装置であって、
前記通信制御手段は、
前記第１の通信手段を介して前記読取記録装置に対して電子バリューの必要金額の送信を要求する機能と、
前記読取記録装置から前記電子バリューの必要金額を受信し、この必要金額が前記記憶手段に保持される残高以下であるか否かを比較する機能と、
前記比較の結果、前記受信した電子バリューの必要金額が保持される残高より多い場合、前記第２の通信制御手段を介して前記携帯端末に対して電子バリューの補充を要求する機能と、
前記携帯端末から前記電子バリューの補充を受信した場合、前記第１の通信制御手段及び前記第２の通信制御手段を介したデータ通信を可能にする機能とを有する情報処理装置。
【請求項５】
請求項１ないし４のいずれかに記載の情報処理装置と、近距離無線通信により前記情報処理装置とデータ通信を行う読取記録装置と、人体と接触可能な接触部を有し人体通信により前記情報処理装置とデータ通信を行う携帯端末とを備え、
前記第１の通信手段を介して前記読取記録装置と前記情報処理装置との間で通信される情報に関連するデータを、前記第２の通信手段を介して前記携帯端末と前記情報処理装置との間で通信するデータ通信システム。
【請求項６】
請求項５に記載のデータ通信システムであって、
前記携帯端末は、前記情報処理装置から人体通信により送信される情報を表示する表示手段を備えるデータ通信システム。
【発明の詳細な説明】
【技術分野】
【０００１】
本発明は、携帯端末及び読取記録装置の双方と通信可能な非接触型ＩＣカード等による情報処理装置及びデータ通信システムに関する。
【背景技術】
【０００２】
ＩＣカードリーダ・ライタと非接触状態で通信して情報のやり取りが可能である非接触型ＩＣカードが知られている。例えば、ＩＣカードリーダ・ライタに近づけることで、短時間に決済処理を行える非接触型ＩＣカードが普及している。このような非接触型ＩＣカードの中には、電磁誘導を利用してＩＣカードリーダ・ライタから電力を取得することにより、非接触型ＩＣカード内部に電力を供給するための電池等が必要でなく、小型化かつ永続的使用が可能であるものが知られている（例えば、特許文献１参照）。具体的に、このような非接触型ＩＣカードは、電車の乗車券やプリペイドカード等として広く人々に利用されている。
【０００３】
一方、人体を伝送線のように使用し、人体と繋がっている装置間で通信を行う人体通信の技術も近年開発されている。この技術は、人体を伝送線として利用するので、BlueTooth 等の電波を拡散して通信する通信方法に比べ、外部に電波として傍受されにくくセキュリティ面において優れる。また、既に開発されている人体通信のモジュールは小型化されており、様々な装置に実装されやすくなっている。
【０００４】
しかしながら、上記のような従来の非接触型ＩＣカードによる情報処理装置には、以下に掲げる問題点があった。非接触型ＩＣカードに記憶されているデータとして、電子バリュー（電子マネー）等の残高を確認する場合、専用のリーダ・ライタ装置が設置されている店舗等に出向き、残高の確認、補充等を行わなければならない煩わしさがあった。また、非接触型ＩＣカードを使用した際、非接触型ＩＣカード内にデータとして保持されている電子バリュー等の残高が足りない場合、使用者は一旦使用を諦めて、電子バリュー等を補充しに行かなければならないという不便さがあった。さらに、使用者が非接触型ＩＣカードを紛失し、悪意のある他人に渡った場合、非接触型ＩＣカード内のデータを不正に使用されてしまうおそれもあった。
【０００５】
【特許文献１】特開平１０−３１２４４５号公報
【発明の開示】
【発明が解決しようとする課題】
【０００６】
本発明は、上記事情に鑑みてなされたもので、他人に傍受されにくい状態で安全性の高いデータ通信を可能にする情報処理装置及びデータ通信システムを提供することを目的とする。また、本発明は、紛失した際などに他人による不正使用を防止できる情報処理装置及びデータ通信システムを提供することを他の目的とする。
【課題を解決するための手段】
【０００７】
本発明の情報処理装置は、近距離無線通信により読取記録装置との間でデータ通信を行う第１の通信手段と、人体と接触可能な接触部を有し、人体通信により携帯端末との間でデータ通信を行う第２の通信手段と、前記読取記録装置とのデータ通信によって読み取りまたは書き込みが行われる電子バリューを含む情報を記憶する記憶手段と、前記第１の通信手段及び前記第２の通信手段の通信制御を行い、前記第１の通信手段を介して前記読取記録装置と通信される情報、または前記記憶手段に記憶された情報に関連するデータを、前記第２の通信手段を介して前記携帯端末と通信する通信制御手段とを備えるものである。
【０００８】
これにより、読取記録装置と情報処理装置との間で通信される情報に関して、人体を介した人体通信により携帯端末とデータ通信することによって、他人に傍受されにくい状態で安全性の高いデータ送受信が可能となる。例えば、読取記録装置と情報処理装置との間で通信された情報や、記憶手段に記憶された電子バリューの残高等に関する情報を、人体通信により携帯端末へ送信し、携帯端末において表示等を行うことができる。本発明の情報処理装置として、例えば、ＩＣ内蔵電子機器、ＩＣ内蔵カード、非接触ＩＣ内蔵電子機器、非接触ＩＣカードなどに適用したものが想定される。
【０００９】
また、本発明の情報処理装置は、上記の情報処理装置であって、前記通信制御手段は、前記第１の通信手段を介して前記読取記録装置との間でデータ通信がなされた場合に、通信された情報に関連するデータを前記第２の通信手段を介して前記携帯端末へ送信する機能を有するものとする。
【００１０】
これにより、読取記録装置と情報処理装置との間で通信が行われた場合に、通信された情報に関連するデータを、人体通信により携帯端末へ送信することによって、他人に傍受されにくい状態で携帯端末へ伝送し、例えば携帯端末において表示等を行うことができる。
【００１１】
また、本発明の情報処理装置は、上記の情報処理装置であって、前記通信制御手段は、前記第２の通信手段を介して前記携帯端末に対して使用者の識別情報を要求する機能と、前記携帯端末から送られる前記使用者の識別情報を受信し、この識別情報が予め設定された識別情報に一致するか否かを比較する機能と、前記比較の結果、前記受信した識別情報が予め設定された識別情報に一致する場合、前記第１の通信手段及び前記第２の通信手段を介したデータ通信を可能にする機能とを有するものとする。
【００１２】
これにより、紛失した際などに他人による不正使用を防止できる。例えば、記憶手段に記憶されている正当な使用者の識別情報と携帯端末に記憶されている使用者の識別情報とが一致しない場合、第１の通信手段の機能を不可とすることで、他人が情報処理装置の電子バリュー等を不正に使用することを防止できる。
【００１３】
また、本発明の情報処理装置は、上記の情報処理装置であって、前記通信制御手段は、前記第１の通信手段を介して前記読取記録装置に対して電子バリューの必要金額の送信を要求する機能と、前記読取記録装置から前記電子バリューの必要金額を受信し、この必要金額が前記記憶手段に保持される残高以下であるか否かを比較する機能と、前記比較の結果、前記受信した電子バリューの必要金額が保持される残高より多い場合、前記第２の通信制御手段を介して前記携帯端末に対して電子バリューの補充を要求する機能と、前記携帯端末から前記電子バリューの補充を受信した場合、前記第１の通信制御手段及び前記第２の通信制御手段を介したデータ通信を可能にする機能とを有するものとする。
【００１４】
これにより、安全性の高いデータ通信によって電子バリューの残高を簡単に補充できる。例えば、読取記録装置からの要求金額が記憶手段に保持されている電子バリューの残高より大きく、残高が足りない場合、人体通信を用いて携帯端末にある電子バリューを自動的に情報処理装置に補充し、使用することが可能となる。
【００１５】
本発明のデータ通信システムは、上記いずれかの情報処理装置と、近距離無線通信により前記情報処理装置とデータ通信を行う読取記録装置と、人体と接触可能な接触部を有し人体通信により前記情報処理装置とデータ通信を行う携帯端末とを備え、前記第１の通信手段を介して前記読取記録装置と前記情報処理装置との間で通信される情報に関連するデータを、前記第２の通信手段を介して前記携帯端末と前記情報処理装置との間で通信するものである。
【００１６】
これにより、読取記録装置と情報処理装置との間で通信される情報に関して、人体を介した人体通信により携帯端末とデータ通信することによって、他人に傍受されにくい状態で安全性の高いデータ送受信が可能となる。
【００１７】
また、本発明のデータ通信システムは、上記のデータ通信システムであって、前記携帯端末は、前記情報処理装置から人体通信により送信される情報を表示する表示手段を備えるものとする。
【００１８】
これにより、情報処理装置及び携帯端末の使用者は、他人に傍受されにくい状態で、読取記録装置と情報処理装置との間で通信された情報の内容を携帯端末の表示手段に表示して容易に確認できる。例えば、情報処理装置に記憶されている電子バリューの残高や使用金額等の情報を、人体通信を用いて携帯端末に伝送して表示し、確認することができる。
【発明の効果】
【００１９】
本発明によれば、他人に傍受されにくい状態で安全性の高いデータ通信を可能にする情報処理装置及びデータ通信システムを提供できる。また、本発明によれば、紛失した際などに他人による不正使用を防止できる情報処理装置及びデータ通信システムを提供できる。
【発明を実施するための最良の形態】
【００２０】
本実施形態では、情報処理装置の一例として、非接触型ＩＣカードに適用した構成例を示す。また、データ通信システムの一例として、非接触型ＩＣカードを用いたカード決済システムの例を示す。
【００２１】
（第１の実施形態）
図１は本発明の実施形態に係る非接触型ＩＣカード内部の構成を示すブロック図である。この非接触型ＩＣカード１は、人体通信部２、不揮発性メモリ３、ＣＰＵ４、及び非接触ＩＣ８を有して構成される。
【００２２】
非接触ＩＣ８は、第１の通信手段の一例に相当するもので、ＩＣカードリーダ・ライタからの電力受信及びデータの送受信を非接触で行い、ＩＣカードリーダ・ライタとの通信における信号を送受信する。また、非接触ＩＣ８は、ＩＣカードリーダ・ライタからの電力受信によって得られた電力を、人体通信部２、不揮発性メモリ３及びＣＰＵ４に供給する。
【００２３】
人体通信部２は、第２の通信手段の一例に相当するもので、人体との接触部、変調部及び復調部を有し、デジタル信号としての数百マイクロアンペア程度の微弱電流を数十ｋＨｚ〜数百ｋＨｚに変調して送信したり、微弱電流を復調して受信することで、数十ｋｂｐｓの通信を可能とする。これにより、使用者の人体を伝送線として利用し、使用者が所持する携帯端末との通信における信号の送受信が可能となる。
【００２４】
不揮発性メモリ３は、記憶手段の一例に相当するもので、非接触型ＩＣカードのデータとしての電子バリュー（電子マネー）等の残高、正当な使用者であるか否かを判別するためのＩＤ情報、非接触型ＩＣカードを制御するための制御プログラムなどを記憶する。ＣＰＵ４は、通信制御手段の一例に相当するもので、不揮発性メモリ３に記憶された制御プログラムに従って非接触型ＩＣカード全体を制御する。
【００２５】
図２は本実施形態に係る非接触型ＩＣカード１の外観を示す図である。非接触型ＩＣカード１の前面には、使用者の人体の一部である指１１などが接触し易くするために、適当な位置に導電材料等からなる接触部（インタフェース部）１０が設けられている。このインタフェース部１０は、人体通信部２の一部としてその内部に繋がっており、使用者の携帯端末と通信を行う際に使用される。
【００２６】
図３は本実施形態に係るＩＣカードリーダ・ライタ１２の構成を示すブロック図である。ＩＣカードリーダ・ライタ１２は、制御回路２１、送信回路２２、受信回路２３及びアンテナ２４を有して構成され、非接触型ＩＣカード１と非接触に通信を行う。制御回路２１は、ＣＰＵ、メモリ等を有し、データの送受信制御やデータ処理等を行う。送信回路２２は、制御回路２１から出力されるデータによってキャリア（搬送波）をＡＭ変調し、所定の送信電力まで増幅する。アンテナ２４は、ループアンテナで構成され、送信回路２２から出力されるキャリアを放射して非接触型ＩＣカード１に電力を供給するとともに、データによりＡＭ変調されたキャリアを非接触型ＩＣカード１との間で送受信する。受信回路２３は、アンテナ２４で受信されたキャリアからデータを検波し、検波されたデータを増幅・波形整形して制御回路２１に伝達する。
【００２７】
図４は本実施形態に係る携帯端末１６の構成を示すブロック図である。携帯端末１６は、制御回路３１、アンテナ３２、送受信部３３、キー操作部３４、人体通信部３５、音声処理部３６、表示部３７、スピーカ３８及びマイク３９を有して構成され、非接触型ＩＣカード１と同様の人体通信部を有する。
【００２８】
制御部３１は、キー操作部３４からの各種指示の入力、送受信部３３における送受信制御、音声処理部３６に対するデータの入出力制御、表示部３７への表示データの送出制御、人体通信部３５における送受信制御などを行う。送受信部３３は、アンテナ３２を通じて基地局と所定の周波数帯域で無線信号の送受信を行う。音声処理部３６は、音声データを復調してスピーカ３８に出力したり、マイク３９からの音声信号を音声データに変調して制御回路３１に入力する。キー操作部３４は、各種キーから構成され、着信通知設定、通話指示設定、表示設定などの各種操作に用いられる。表示部３７は、各種データを表示する。人体通信部３５は、非接触型ＩＣカード１と同様、人体との接触部、変調部及び復調部を有し、デジタル信号としての数百マイクロアンペア程度の微弱電流を数十ｋＨｚ〜数百ｋＨｚに変調して送信したり、微弱電流を復調して受信することで、数十ｋｂｐｓの通信を可能とする。
【００２９】
図５は本実施形態におけるＩＣカードリーダ・ライタ、非接触型ＩＣカード及び携帯端末の使用例を示す図である。使用者１３が非接触型ＩＣカード１をＩＣカードリーダ・ライタ１２に近付け、非接触型ＩＣカード１及びＩＣカードリーダ・ライタ１２間の距離が十分に短くなると、ＩＣカードリーダ・ライタ１２との間で、非接触ＩＣ８による電力受信及びデータの送受信動作が開始する。非接触ＩＣカード１は、電力の供給を受けると、人体通信部２及び手、腕などの人体を通じて、使用者の所持する携帯端末（携帯電話等）１６とデータの送受信を行う。この人体通信により、携帯端末１６の表示部には、非接触型ＩＣカード１に保持された電子バリューの残高や使用金額などが表示される。
【００３０】
図６は第１の実施形態のＩＣカードリーダ・ライタ１２、非接触型ＩＣカード１及び携帯端末１６を用いたカード決済システムにおける処理の流れを示すフローチャートである。まず、使用者が非接触型ＩＣカード１をＩＣカードリーダ・ライタ１２に近付けると、電磁誘導によりＩＣカードリーダ・ライタ１２から非接触型ＩＣカード１に電力が送信される（ステップＳ１）。送信された電力は、非接触型ＩＣカード１内の非接触ＩＣ８により受信され、非接触型ＩＣカード内の各部に電力が供給される（ステップＳ２）。この電力供給により、非接触型ＩＣカード１が起動し、非接触型ＩＣカード内のＣＰＵ４は、不揮発性メモリ３に記憶された制御プログラムに従って、後述するステップＳ３、Ｓ６、Ｓ７、Ｓ１０、Ｓ１１、Ｓ１２のステップ処理を実行する。
【００３１】
まず、ＣＰＵ４は、非接触ＩＣ８を使用し、ＩＣカードリーダ・ライタ１２に対してデータの送受信要求を行う（ステップＳ３）。ＩＣカードリーダ・ライタ１２がこのデータ送受信要求を受信すると（ステップＳ４）、ＩＣカードリーダ・ライタ１２及び非接触型ＩＣカード１間でデータの送受信が行われる（ステップＳ５、Ｓ６）。このデータの送受信では、買い物の決済等に必要なデータが送受信される。
【００３２】
この後、非接触型ＩＣカード１内の電子バリューの残高や使用金額などのデータの更新状況を携帯端末１６に転送するため、人体通信部２を使用してデータの送受信要求を携帯端末１６に送信する（ステップＳ７）。携帯端末１６がデータの送受信要求を受信すると（ステップＳ８）、人体通信により携帯端末１６及び非接触型ＩＣカード１間でデータの送受信が行われる（ステップＳ９、Ｓ１０）。このデータの送受信によって、携帯端末１６では、その表示部３７に更新状況（電子バリューの残高や使用金額等）が表示される。
【００３３】
そして、データの送受信が完了すると、非接触型ＩＣカード１内のＣＰＵ４は、非接触ＩＣ８を使用し、ＩＣカードリーダ・ライタ１２に終了通知を送信し（ステップＳ１１）、終了処理を行う（ステップＳ１２）。一方、ＩＣカードリーダ・ライタ１２は、非接触型ＩＣカード１から終了通知を受信すると（ステップＳ１３）、通信が全て完了した旨を使用者に知らせるために音を鳴らす（ステップＳ１４）。
【００３４】
このように、第１の実施形態のカード決済システムによれば、使用者は、非接触型ＩＣカードで使用した電子バリューの金額や残高等を、使用する度に確認できる。また、人体通信により機密性を保つことができ、他人に傍受されにくい状態で安全性の高いデータ送受信が可能となる。また、非接触型ＩＣカードの使用時、非接触型ＩＣカードのメモリに記憶されている電子バリューの残高や使用金額を、人体通信により携帯端末側の表示部に表示させることができる。
【００３５】
（第２の実施形態）
図７は第２の実施形態のＩＣカードリーダ・ライタ１２、非接触型ＩＣカード１及び携帯端末１６を用いたカード決済システムにおける処理の流れを示すフローチャートである。第２の実施形態の非接触型Ｉカード１の構成は、前記第１の実施形態と同じであるので、その説明を省略し、動作のみを以下に述べる。
【００３６】
まず、使用者が非接触型ＩＣカード１をＩＣカードリーダ・ライタ１２に近付けると、電磁誘導によりＩＣカードリーダ・ライタ１２から非接触型ＩＣカード１に電力が送信される（ステップＳ２１）。送信された電力は、非接触型ＩＣカード１内の非接触ＩＣ８により受信され、非接触型ＩＣカード内の各部に電力が供給される（ステップＳ２２）。この電力供給により、非接触型ＩＣカード１が起動すると、非接触型ＩＣカード内のＣＰＵ４は、不揮発性メモリ３に記憶された制御プログラムに従って、後述するステップＳ２３、Ｓ２６、Ｓ２７、Ｓ２８、Ｓ２９等のステップ処理を実行する。
【００３７】
まず、ＣＰＵ４は、人体通信部２及び使用者の人体を通じて携帯端末１６に対し、使用者ＩＤの取得要求を送信する（ステップＳ２３）。携帯端末１６は、使用者ＩＤの取得要求を受信すると（ステップＳ２４）、携帯端末１６に予め設定されている使用者ＩＤを、人体通信により非接触型ＩＣカード１に送信する（ステップＳ２５）。ＣＰＵ４は、携帯端末１６からの使用者ＩＤを受信すると（ステップＳ２６）、受信したＩＤと不揮発性メモリ３に予め記憶されている正当な使用者ＩＤとを比較し、一致するか否かを判別する（ステップＳ２７）。
【００３８】
比較の結果、一致した場合、前記第１の実施形態と同様、ステップＳ３以降のステップ処理に移行する処理を行う（ステップＳ２８）。一方、不一致であった場合、非接触型ＩＣカード１及びＩＣカードリーダ・ライタ１２間の通信を終了する処理を行う（ステップＳ２９）。
【００３９】
このように、第２の実施形態のカード決済システムによれば、非接触型ＩＣカードを紛失し、他人に拾われた場合でも、ＩＤの不一致により不正な使用を防止できる。例えば、非接触型ＩＣカードに記憶されている正当な使用者ＩＤと携帯端末に記憶されている使用者ＩＤとが一致しない場合、非接触型ＩＣカードの機能を使用できないようにすることで、不正な他人が非接触型ＩＣカードを使用することを防止できる。
【００４０】
（第３の実施形態）
図８は第３の実施形態のＩＣカードリーダ・ライタ１２、非接触型ＩＣカード１及び携帯端末１６を用いたカード決済システムにおける処理の流れを示すフローチャートである。第３の実施形態の非接触型Ｉカード１の構成は、前記第１の実施形態と同じであるので、その説明を省略し、動作のみを以下に述べる。
【００４１】
まず、使用者が非接触型ＩＣカード１をＩＣカードリーダ・ライタ１２に近付けると、電磁誘導によりＩＣカードリーダ・ライタ１２から非接触型ＩＣカード１に電力が送信される（ステップＳ３１）。送信された電力は、非接触型ＩＣカード１内の非接触ＩＣ８により受信され、非接触型ＩＣカード内の各部に電力が供給される（ステップＳ３２）。この電力供給により、非接触型ＩＣカード１が起動すると、非接触型ＩＣカード内のＣＰＵ４は、不揮発性メモリ３に記憶された制御プログラムに従って、後述するステップＳ３３、Ｓ３６、Ｓ３７、Ｓ３８、Ｓ３９、Ｓ４２等のステップ処理を実行する。
【００４２】
まず、ＣＰＵ４は、使用者が支払う金額を携帯端末１６に知らせるために、非接触ＩＣ８を使用し、ＩＣカードリーダ・ライタ１２に必要金額の送信要求を送信する（ステップＳ３３）。ＩＣカードリーダ・ライタ１２は、この送信要求を受信すると（ステップＳ３４）、必要金額を非接触型ＩＣカード１２に送信する（ステップＳ３５）。ＣＰＵ４は、必要金額を受信すると（ステップＳ３６）、この必要金額と不揮発性メモリ３に記憶されている電子バリューの残高とを比較し、必要金額が残高と等しいか、あるいは残高より小さいか否かを判別する（ステップＳ３７）。
【００４３】
必要金額が残高と等しいか、あるいは残高より小さい場合、前記第１の実施形態と同様、ステップＳ３以降のステップ処理に移行する処理を行う（ステップＳ３８）。一方、必要金額が残高より大きい場合、人体通信部２を使用し、携帯端末１６に予め設定されている金額（ここでは、不足額以上の金額）の補充を要求する（ステップＳ３９）。携帯端末１６は、この補充要求を受信すると（ステップＳ４０）、非接触型ＩＣカード１から要求された金額の電子バリューを人体通信により非接触型ＩＣカード１に送信する（ステップＳ４１）。
【００４４】
ＣＰＵ４は、携帯端末１６から送信された金額の電子バリューを受信すると（ステップＳ４２）、前記第１の実施形態と同様、ステップＳ３以降のステップ処理に移行する処理を行う（ステップＳ３８）。尚、ステップＳ３７では、必要金額が残高以下であるか否かを判別したが、必要金額が残高より所定金額だけ少ないか否かを判別するようにしてもよい。
【００４５】
このように、第３の実施形態のカード決済システムによれば、非接触型ＩＣカードの使用時、非接触型ＩＣカードで取得したＩＣカードリーダ・ライタ側からの要求金額が、メモリに記憶されている電子バリューの残高より大きく、残高が不足している場合、人体通信を用いて携帯端末にある電子バリューを非接触型ＩＣカードに補充することができ、非接触型ＩＣカードをそのまま使用できる。
【００４６】
なお、本発明は、上記実施形態の構成に限られるものではなく、種々の変形実施が可能である。例えば、上記実施形態では、非接触型ＩＣカードに適用した情報処理装置の例を示したが、非接触ＩＣカードに限らず、例えば他の形状の携帯型機器やＰＤＡ等の情報機器等に適用してもよい。また、データ通信システムとして、カード決済システムに適用した例を示したが、これに限らず、個人認証システムや各種セキュリティシステム等に適用することもできる。
【産業上の利用可能性】
【００４７】
本発明は、他人に傍受されにくい状態で安全性の高いデータ通信を可能にする効果、紛失した際などに他人による不正使用を防止できる効果を有し、携帯端末及び読取記録装置の双方と通信可能な非接触型ＩＣカード等による情報処理装置及びデータ通信システム等に有用である。
【図面の簡単な説明】
【００４８】
【図１】本発明の実施形態に係る非接触型ＩＣカード内部の構成を示すブロック図
【図２】本実施形態に係る非接触型ＩＣカードの外観を示す図
【図３】本実施形態に係るＩＣカードリーダ・ライタの構成を示すブロック図
【図４】本実施形態に係る携帯端末の構成を示すブロック図
【図５】本実施形態におけるＩＣカードリーダ・ライタ、非接触型ＩＣカード及び携帯端末の使用例を示す図
【図６】第１の実施形態のＩＣカードリーダ・ライタ、非接触型ＩＣカード及び携帯端末を用いたカード決済システムにおける処理の流れを示すフローチャート
【図７】第２の実施形態のＩＣカードリーダ・ライタ、非接触型ＩＣカード及び携帯端末を用いたカード決済システムにおける処理の流れを示すフローチャート
【図８】第３の実施形態のＩＣカードリーダ・ライタ、非接触型ＩＣカード及び携帯端末を用いたカード決済システムにおける処理の流れを示すフローチャート
【符号の説明】
【００４９】
１  非接触型ＩＣカード
２  人体通信部
３  不揮発性メモリ
４  ＣＰＵ
８  非接触ＩＣ
１０  接触部（インタフェース部）
１２  ＩＣカードリーダ・ライタ
１６  携帯端末
【図１】
2006195559.tif 000003
【図２】
2006195559.tif 000004
【図３】
2006195559.tif 000005
【図４】
2006195559.tif 000006
【図５】
2006195559.tif 000007
【図６】
2006195559.tif 000008
【図７】
2006195559.tif 000009
【図８】
2006195559.tif 000010